(57)【要約】【課題】本発明の目的は、バイスプレートの押圧する方向を簡単に変えられ、かつ安価で既存の卓上丸鋸にも簡単に適用できるバイス装置を備えた卓上丸鋸を提供することである。【解決手段】バイスホルダ２２のバイスシャフト２０取付け部を長穴２４に形成し、バイスホルダ２２を下方に傾けることにより、バイスプレート２６の押圧する方向を変えられるようにする。【選択図】      図４
2004345255.tif 000002
【特許請求の範囲】
【請求項１】
上面に被切断材を載置するベース部と、該ベース部の上面に支持され、被切断材の端面を支持するフェンスと、前記ベース部の後方に設けられたホルダと、モータにより駆動される鋸刃を有し、前記ホルダ上端に上下方向に回動可能に支持された丸鋸部と、前記フェンスの背面に設けられた穴に嵌合されるバイスシャフトと、該バイスシャフトに取付けられたバイスホルダと、該バイスホルダに進退可能に取付けられ、先端にバイスプレートが装着されたバイス取付体とを備え、前記丸鋸部を下方に押し下げ前記鋸刃により前記ベース部上面に載置され前記フェンス及び前記バイスプレートにより支持された前記被切断材を切断する卓上丸鋸において、前記バイスホルダの前記バイスシャフト取付け部を長穴に形成し、下方に該バイスホルダが傾動可能としたことを特徴とする卓上丸鋸。
【発明の詳細な説明】
【０００１】
【発明の属する技術分野】
本発明は断面が矩形の被切断材（以下矩形材という）はもちろんのこと化粧長押材（クラウンモールディング材：天井と壁との隅部に沿って取付けられる化粧長押材）等の切断加工に用いる卓上丸鋸に関するものである。
【０００２】
【従来の技術】
従来の技術として特開２００２−０１１７０２号公報、特開２００２−２１０７１号公報がある。
【０００３】
特開２００２−０１１７０２号公報は、所定角度をもって連結された２辺の部材からなるバイスホルダのそれぞれの辺に垂直な２個の穴を設け、バイスシャフトに嵌合する穴を、選択することにより、バイスプレートの押圧する方向を変えられるようにしたものである。
【０００４】
特開２００２−２１０７１号公報は、２つに分割されたバイスホルダを設け、第１バイスホルダ端に軸を配設し、軸に第２バイスホルダを回動可能に取付け、第２バイスホルダを所定角度まで回動し、ノブボルトで固定させることにより、バイスプレートが押圧する方向を変えられるようにしたものである。
【特許文献１】
特開２００２−０１１７０２号公報
【特許文献２】
特開２００２−２１０７１号公報
【０００５】
【発明が解決しようとする課題】
特開２００２−０１１７０２号公報に開示された構成では、バイスプレートの押圧する方向を変えるのに、バイスホルダを抜き差しする必要があり、また特開２００２−２１０７１号公報に開示された構成では、部品数が多く高価なバイス装置になるという問題があった。
【０００６】
本発明の目的は、バイスプレートの押圧する方向を簡単に変えられ、かつ安価で既存の卓上丸鋸にも簡単に適用できるバイス装置を備えた卓上丸鋸を提供することである。
【０００７】
【課題を解決するための手段】
上記目的は、上面に被切断材を載置するベース部と、該ベース部の上面に支持され、被切断材の端面を支持するフェンスと、前記ベース部の後方に設けられたホルダと、モータにより駆動される鋸刃を有し、前記ホルダ上端に上下方向に回動可能に支持された丸鋸部と、前記フェンスの背面に設けられた穴に嵌合されるバイスシャフトと、該バイスシャフトに取付けられたバイスホルダと、該バイスホルダに進退可能に取付けられ、先端にバイスプレートが装着されたバイス取付体とを備え、前記丸鋸部を下方に押し下げ前記鋸刃により前記ベース部上面に載置され前記フェンスおよび前記バイスプレートにより支持された前記被切断材を切断する卓上丸鋸において、前記バイスホルダの前記バイスシャフト取付け部を長穴に形成し、下方に該バイスホルダが傾動可能とすることにより達成される。
【０００８】
【発明の実施の形態】
本発明卓上丸鋸の一実施形態を図１〜図６を用いて説明する。
【０００９】
ベース１の中央にターンテーブル２を水平方向に回動可能に埋設し、ターンテーブル２の上面はベース１の上面と同一面となっている。ベース１及びターンテーブル２の上面にはクラウン材２１または矩形材３０等の被切断材が載置される。本発明においては被切断材が載置される部材（本実施形態においてはベース１とターンテーブル２）を総称してベース部という。ベース１上面には被切断材の端面を支持するフェンス３が固定されている。
【００１０】
ターンテーブル２後端にはホルダシャフト４を介してホルダ５が立設され、ホルダシャフト４の軸心は、ターンテーブル２上面とほぼ一致するように位置され、ホルダ５はホルダシャフト４を支点にターンテーブル２の上面を中心に左右傾斜可能なごとくベース１に支持されている。図３に示すように、ホルダ５の背部にはホルダシャフト４を中心とする長穴５ａが形成され、長穴５ａにクランプレバー６を貫通させ、クランプレバー６の先端に形成したねじ部がターンテーブル２背面に形成したねじ穴部にねじ嵌合している。クランプレバー６を緩めると、ホルダ５はホルダシャフト４を支点に長穴５ａの範囲内で傾斜し、クランプレバー６を締め付けると、ホルダ５はターンテーブル２とクランプレバー６間に締め付けられ、任意位置で固定される。長穴５ａはホルダ５が左右４５度に傾斜できる範囲内で形成されている。
【００１１】
ホルダ５上方にはシャフト７を介してベース１上面に対し上下揺動可能に丸鋸部８が支持されている。ホルダ５と丸鋸部８の間には、丸鋸部８を上方に付勢するスプリング９が設けられている。丸鋸部８は、鋸軸１０、鋸刃１１、鋸刃１１の上半部を覆う鋸カバー１２と一体となっているギヤケース１３、鋸刃１１を回転駆動するモーター１４、モーター１４を収容支持するモーターハウジング１５、ハンドル１６等により構成されている。図２に示すように、ギヤケース１３には、水平方向に延びた鋸軸１０が設けられ、鋸軸１０の先端にボルト１７を介して鋸刃１１が装着されている。モーターハウジング１５には、図示を省略したが、モーター１４から鋸刃１１へ動力を伝達するためのギヤ等の動力伝達機構が内蔵されている。
【００１２】
ホルダ５前面には図２に示す２個の突起部５ｂが装着され、ターンテーブル２上面後方には突起部５ｂの移動軌跡上に位置するようにストッパボルト１８、１９が直角方向にねじ嵌合している。前記クランプレバー６を緩め、ホルダ５を傾斜させると、所定の傾斜角度で突起部５ｂがストッパボルト１８またはストッパボルト１９の頭部に係合し、丸鋸部８の傾斜位置を設定する。通常、ストッパボルト１８、１９は、ホルダ５が左右方向に４５度の位置に傾斜したときに、突起部５ｂに係合するように設けられている。
【００１３】
ターンテーブル２上面には、周知のごとく、中央に鋸刃１１が侵入する溝部を有する図示しない刃口板が固定され、切断時、鋸刃１１下端がターンテーブル２上面よりも下降したとき、刃口板の溝部に侵入し、被切断材の仕上面へのけば立ちを防止するようにしている。
【００１４】
バイスシャフト２０をフェンス３背面に設けられたバイスシャフト取付け穴３ａへ挿入し、ノブボルト２３を介してバイスシャフト２０をフェンス３に固定する。バイスシャフト２０には、バイスホルダ２２が嵌合しバイスシャフト２０に沿って上下移動が可能で、バイスホルダ２２側面に設けたノブボルト２７によって、任意の位置での固定が可能に構成されている。バイスホルダ２２先端には、ネジ穴２２ａが設けられており、バイスプレート２６を先端に装着したバイス取付体を構成するクランプスクリュー２５がネジ嵌合されている。前記バイスホルダ２２のバイスシャフト２０取付け部は、バイスホルダ２２が下方に傾くことが可能な長穴２４に形成され、前記ノブボルト２７は、バイスホルダ２２の上下の固定だけではなく、バイスホルダ２２をベース１面に平行な状態での固定と、バイスホルダ２２を下方に傾けた状態での固定も兼ねている。
【００１５】
上記構成において、クラウン材２１を斜めにたてかけて切断する方法について図１、図２、図４を用いて説明する。
【００１６】
最初にクラウン材２１の上端を支持角度に従いフェンス３に当接させる。次にノブボルト２７を緩めバイスホルダ２２を下方に傾け、ノブボルト２７を締め付けてバイスホルダ２２を固定する。クランプスクリュー２５をクラウン材２１側に進めバイスプレート２６によりクラウン材２１を押し付けて固定する。これにより、クラウン材２１は安定した状態で固定される。この状態で、ハンドル１６により丸鋸部８を押し下げ、鋸刃１１によりクラウン材２１を切断する。
【００１７】
次に矩形材３０を切断する場合は、図６のようにバイスホルダ２２を水平にした状態でノブボルト２７で固定させれば良い。
【００１８】
上記実施形態によれば、バイスホルダ２２の角度を変えるという簡単な操作で、クラウン材２１、矩形材３０を確実に押し付けられるまた、構成部品が少なく安価なバイス装置を提供できると共に、既存の卓上丸鋸を改造することなく本発明バイス装置を適用することができる。
【００１９】
【発明の効果】
以上のように本発明によれば、クラウン材および通常の矩形材を安定して支持できるようになる。
【図面の簡単な説明】
【図１】本発明卓上丸鋸の一実施形態を示す側面図。
【図２】図１の右側面図。
【図３】図１のＡ方向矢視部分拡大図。
【図４】本発明卓上丸鋸の一実施形態を示す要部拡大側面図。
【図５】本発明卓上丸鋸の一実施形態を示す要部拡大平面図。
【図６】通常の矩形材を載置した状態を示す卓上丸鋸の側面図。
【符号の説明】
２０はバイスシャフト、２１はクラウン材、２２はバイスホルダ、２３、２７はノブボルト、２４は長穴、２５はクランプスクリュー、２６はバイスプレート、３０は矩形材。
【図１】
2004345255.tif 000003
【図２】
2004345255.tif 000004
【図３】
2004345255.tif 000005
【図４】
2004345255.tif 000006
【図５】
2004345255.tif 000007
【図６】
2004345255.tif 000008